(57)【要約】【課題】  Ｓ映像信号入力に対応できない放送方式の映像信号が入力されたときに、Ｓ映像信号出力をミュートすることなく、Ｓ映像信号出力を得る。【解決手段】  Ｓ映像信号入力端子１０７に入力されたＳ映像信号を分岐して出力するとともに、上記Ｓ映像信号をクロマデコーダ１１０によりコンポーネント映像信号に変換して出力し、放送方式を検出して対応していない放送方式の場合には変換出力及び分岐出力をミュートするにあたり、上記Ｓ映像信号入力端子１０５にＳ映像信号が入力されていることを検出するＳ映像信号入力検出回路１０７による入力検出結果を上記放送方式の検出結果に基づく制御部１１６によるミュート制御よりも優先させて、上記Ｓ映像信号入力端子１０５に入力されたＳ映像信号をミュートせずＳ映像信号出力端子１０８から出力するミュート制御手段１０７，１２１，１２２を設ける【選択図】        図１
2006135785.tif 000002
【特許請求の範囲】
【請求項１】
Ｓ映像信号入力端子に入力されたＳ映像信号を分岐して出力するとともに、上記Ｓ映像信号をコンポーネント映像信号に変換して出力し、放送方式を検出して対応していない放送方式の場合には変換出力及び分岐出力をミュートする制御手段を備える映像信号出力回路であって、
上記Ｓ映像信号入力端子にＳ映像信号が入力されていることを検出するＳ映像信号入力検出手段による入力検出結果を上記放送方式の検出結果に基づく上記制御手段によるミュート制御よりも優先させて、上記Ｓ映像信号入力端子に入力されたＳ映像信号をミュートせずＳ映像信号出力端子から出力するミュート制御手段を備えることを特徴とする映像信号出力回路。
【請求項２】
コンポジット映像信号入力端子を介して入力されたコンポジット映像信号をＳ映像信号に変換する映像信号変換手段と、
上記Ｓ映像信号入力端子に入力されたＳ映像信号と上記映像信号変換手段によりコンポジット映像信号を変換したＳ映像信号とを選択する信号選択手段をさらに備え、
上記信号選択手段は、上記Ｓ映像信号入力検出手段による入力検出結果に応じて、Ｓ映像信号を選択することを特徴とする請求項１記載の映像信号出力回路。
【発明の詳細な説明】
【技術分野】
【０００１】
本発明は、Ｓ映像信号をコンポーネント映像信号に変換するとともに放送方式を検出して対応していない放送方式の場合には変換出力及び分岐出力をミュートする機能を有する映像信号出力回路に関する。
【背景技術】
【０００２】
近年、音声入出力の他に映像入出力を備えたＡＶアンプにおいて、コンポジット映像信号をＳ映像信号やコンポーネント映像信号に変換し、また、Ｓ映像信号をコンポーネント映像信号に変換して出力する例えば図２に示すような構成の映像信号出力回路２００を備えるものが増えている。この映像信号出力回路２００では、基本的に販売される国の放送方式に合わせて設定するため、例えば日本においてはＮＴＳＣ方式は対応するものの、ＰＡＬ方式は対応できずに乱れた映像が出力されるので、その場合はＳ映像信号出力とコンポーネント映像信号出力はミュート処理していた。
【０００３】
図２に示す従来の映像信号出力回路２００は、コンポジット映像信号入力端子１０１を介して供給されるコンポジット映像信号を増幅してコンポジット映像信号出力端子１０２から出力するビデオアンプ１０３、上記コンポジット映像信号入力端子１０１を介して供給されるコンポジット映像信号をＳ映像信号に変換するＹ／Ｃ分離回路１０４、Ｓ映像信号入力端子１０５を介して供給されるＳ映像信号と上記Ｙ／Ｃ分離回路１０４を介して供給されるＳ映像信号を選択するＳ映像信号セレクタ１０６、上記Ｓ映像信号入力端子１０５にＳ映像信号が供給されていることを検出し、その検出出力により上記Ｓ映像信号セレクタ１０６を制御するＳ映像信号入力検出回路１０７、上記Ｓ映像信号セレクタ１０６を介して供給されるＳ映像信号を増幅してＳ映像信号出力端子１０８から出力するビデオアンプ１０９、上記Ｓ映像信号セレクタ１０６を介して供給されるＳ映像信号をコンポーネント映像信号に変換するクロマデコーダ１１０、コンポーネント映像信号入力端子１１１を介して供給されるコンポーネント映像信号と上記クロマデコーダ１１０を介して供給されるコンポーネント映像信号を選択するコンポーネント映像信号セレクタ１１２、上記コンポーネント映像信号入力端子１１１にコンポーネント映像信号が供給されていることを検出し、その検出出力により上記コンポーネント映像信号セレクタ１１２を制御するコンポーネント映像信号入力検出回路１１３、上記コンポーネント映像信号セレクタ１１２を介して供給されるコンポーネント映像信号を増幅してコンポーネント映像信号出力端子１１４から出力するビデオアンプ１１５、上記クロマデコーダ１１０の出力に基づいて上記ビデオアンプ１１３，１１５の動作を制御して映像出力のミュートを制御するマイクロコンピュータからなる制御部１１６等を備える。
【０００４】
この映像信号出力回路２００では、コンポジット映像信号はＳ映像信号に変換するＹ／Ｃ分離回路１０４を通った後、クロマデコーダ１１０によりコンポーネント映像信号に変換されてコンポーネント映像信号出力端子１１４から出力される。上記クロマデコーダ１１０で放送方式の検出、及び、Ｙ／Ｃ分離回路１０４を駆動させるために必要なサブキャリア周波数の発生が行なわれており、該クロマデコーダ１１０からの検出出力を元に制御部１１６が映像出力のミュートを制御している。また、Ｓ映像信号とコンポーネント映像信号は、入力端子１０１，１０５から入力されたものと内部で変換して出来たものとが存在するので、それぞれ端子入力後に入力検出回路１０２，１０９で検出することにより端子入力を優先にするようにしている。
【発明の開示】
【発明が解決しようとする課題】
【０００５】
しかしながら、上述の如き構成の従来の映像信号出力回路２００では、Ｓ映像信号入力に対応できない放送方式の映像信号が入力されたときもＳ映像信号出力をミュートしてしまうので、変換を必要としない場合でも映像信号出力が得られず、不都合が生じていた。
【０００６】
そこで、本発明の目的は、上述の如き従来の問題点に鑑み、上記不具合を低コストで解消した映像信号出力回路を提供することにある。
【０００７】
本発明の更に他の目的、本発明によって得られる具体的な利点は、以下に説明される実施の形態の説明から一層明らかにされる。
【課題を解決するための手段】
【０００８】
本発明では、入力検出回路を利用して、制御部のマイコンが映像出力のミュートをしている場合でも、入力検出回路の結果を優先するようにして、映像出力の制御を行なう。
【０００９】
すなわち、本発明は、Ｓ映像信号入力端子に入力されたＳ映像信号を分岐して出力するとともに、上記Ｓ映像信号をコンポーネント映像信号に変換して出力し、放送方式を検出して対応していない放送方式の場合には変換出力及び分岐出力をミュートする制御手段を備える映像信号出力回路であって、上記Ｓ映像信号入力端子にＳ映像信号が入力されていることを検出するＳ映像信号入力検出手段による入力検出結果を上記放送方式の検出結果に基づく上記制御手段によるミュート制御よりも優先させて、上記Ｓ映像信号入力端子に入力されたＳ映像信号をミュートせずＳ映像信号出力端子から出力するミュート制御手段を備えることを特徴とする。
【００１０】
また、映像信号出力回路は、さらに、コンポジット映像信号入力端子を介して入力されたコンポジット映像信号をＳ映像信号に変換する映像信号変換手段と、上記Ｓ映像信号入力端子に入力されたＳ映像信号と上記映像信号変換手段によりコンポジット映像信号を変換したＳ映像信号とを選択する信号選択手段を備え、上記信号選択手段は、上記Ｓ映像信号入力検出手段による入力検出結果に応じて、Ｓ映像信号を選択することを特徴とする。
【発明の効果】
【００１１】
本発明では、ミュートしなければならない映像出力とミューとする必要のない映像出力の判断が、マイコン制御の必要なしに実現できる。また、従来回路に低コストで機能追加ができる。
【発明を実施するための最良の形態】
【００１２】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１３】
本発明を適用した映像信号出力回路の構成を図１に示す。
【００１４】
この図１に示す映像信号出力回路１００は、図２に示した従来の映像信号出力回路２００に本発明を適用したものであって、コンポジット映像信号入力端子１０１を介して供給されるコンポジット映像信号を増幅してコンポジット映像信号出力端子１０２から出力するビデオアンプ１０３、上記コンポジット映像信号入力端子１０１を介して供給されるコンポジット映像信号をＳ映像信号に変換するＹ／Ｃ分離回路１０４、Ｓ映像信号入力端子１０５を介して供給されるＳ映像信号と上記Ｙ／Ｃ分離回路１０４を介して供給されるＳ映像信号を選択するＳ映像信号セレクタ１０６、上記Ｓ映像信号入力端子１０５にＳ映像信号が供給されていることを検出し、その検出出力により上記Ｓ映像信号セレクタ１０６を制御するＳ映像信号入力検出回路１０７、上記Ｓ映像信号セレクタ１０６を介して供給されるＳ映像信号を増幅してＳ映像信号出力端子１０８から出力するビデオアンプ１０９、上記Ｓ映像信号セレクタ１０６を介して供給されるＳ映像信号をコンポーネント映像信号に変換するクロマデコーダ１１０、コンポーネント映像信号入力端子１１１を介して供給されるコンポーネント映像信号と上記クロマデコーダ１１０を介して供給されるコンポーネント映像信号を選択するコンポーネント映像信号セレクタ１１２、上記コンポーネント映像信号入力端子１１１にコンポーネント映像信号が供給されていることを検出し、その検出出力により上記コンポーネント映像信号セレクタ１１２を制御するコンポーネント映像信号入力検出回路１１３、上記コンポーネント映像信号セレクタ１１２を介して供給されるコンポーネント映像信号を増幅してコンポーネント映像信号出力端子１１４から出力するビデオアンプ１１５、上記クロマデコーダ１１０の出力に基づいて上記ビデオアンプ１１３，１１５の動作を制御して映像出力のミュートを制御するマイクロコンピュータからなる制御部１１６を備え、上記Ｓ映像信号のビデオアンプ１０９のミュート端子に制御部１１６からのコントロールラインとＳ映像信号の入力検出回路１０７の検出出力ラインをそれぞれダイオード１２１，１２２を介して接続してなる。上記ダイオード１２１，１２２は、各カソードがビデオアンプ１０９のミュート端子に共通接続されている。
【００１５】
この映像信号出力回路１００では、コンポジット映像信号はＳ映像信号に変換するＹ／Ｃ分離回路１０４を通った後、クロマデコーダ１１０によりコンポーネント映像信号に変換されてコンポーネント映像信号出力端子１１４から出力される。上記クロマデコーダ１１０で放送方式の検出、及び、Ｙ／Ｃ分離回路１０４を駆動させるために必要なサブキャリア周波数の発生が行なわれており、該クロマデコーダ１１０からの検出出力を元に制御部１１６が映像出力のミュートを制御している。また、Ｓ映像信号とコンポーネント映像信号は、入力端子１０１，１０５から入力されたものと内部で変換して出来たものとが存在するので、それぞれ端子入力後に入力検出回路１０２，１０９で検出することにより端子入力を優先にするようにしているが、Ｓ映像信号の入力検出回路１０７は、映像信号を検知した場合にＬ（０Ｖ）、入力映像がない場合にＨ（５Ｖ）を出す仕様となっており、制御部１１６から、ビデオアンプ１０９のミュート端子にミュート信号としてＬ（０Ｖ）を与えても、上述のようにダイオード１２１，１２２を接続することで制御部１１６からのミュート指令より映像信号検知のＨ（５Ｖ）が優先してビデオアンプ１０９に伝わる。
【００１６】
すなわち、この映像信号出力回路１００において、上記入力検出回路１０７及び各ダイオード１２１，１２２は、上記Ｓ映像信号入力端子１０５に入力されたＳ映像信号をミュートせずＳ映像信号出力端子１０８から出力するミュート制御手段として機能する。
【００１７】
したがって、この映像信号出力回路１００では、制御部１１６が映像出力のミュートをしている場合でも、入力検出回路１０７の結果を優先するようにして、映像出力の制御を行なうことができる。
【００１８】
上述の如き構成の映像信号出力回路１００は、既存の回路構成をそのまま利用することができ、さらにマイクロコンピュータを用いた制御部１１６の制御内容の変更も必要なく安価で実現できる。
【図面の簡単な説明】
【００１９】
【図１】本発明を適用した映像信号出力回路の構成を示すブロック図である。
【図２】従来の映像信号出力回路の構成を示すブロック図である。
【符号の説明】
【００２０】
１００  映像信号出力回路、１０１  コンポジット映像信号入力端子、１０２  コンポジット映像信号出力端子、１０３  ビデオアンプ、１０４  Ｙ／Ｃ分離回路、１０５  Ｓ映像信号入力端子、１０６  Ｓ映像信号セレクタ、１０７  Ｓ映像信号入力検出回路、１０８  Ｓ映像信号出力端子、１０９  ビデオアンプ、１１０  クロマデコーダ、１１１  コンポーネント映像信号入力端子、１１２  コンポーネント映像信号セレクタ、１１３  コンポーネント映像信号入力検出回路、１１４  コンポーネント映像信号出力端子、１１５  ビデオアンプ、１１６  制御部、１２１，１２２  ダイオード
【図１】
2006135785.tif 000003
【図２】
2006135785.tif 000004